(57)【要約】【課題】  拝礼時におけるご神体の配置位置を調整できる携帯祭壇装置の提供。【解決手段】  支持部１１３は、収納部材１３０から所定高さの位置にご神体載置部１１１を支持する。支持部１１３は、第１の分割支持部１１３ａ、第２の分割支持部１１３ｂを有している。第１の端部１１３ａ１は、ご神体載置部１１１の載置固定部１１１ａと嵌合する。第１の分割支持部１１３ａの第１の連結端部１１３ａ３は、第２の分割支持部１１３ｂの連結固定部１１３ｂ７に固定される。第２の端部１１３ｂ１は、収納部材１３０の垂直固定部１３０ａと嵌合する。第２の分割支持部１１３ｂの第２の連結端部１１３ｂ３は、固定突出部１１３ｂ５を有している。固定突出部１１３ｂ５は、所定位置に、第１の分割支持部１１３ａの第１の連結端部１１３ａ３と嵌合し、第１の分割支持部１１３ａを固定する孔状の連結固定部１１３ｂ７を有している。【選択図】  図１
2020195567.tif 000002
【特許請求の範囲】
【請求項１】
ご神体を載置する載置部材、及び、前記載置部材を収納する収納部材を有する携帯祭壇装置であって、
前記載置部材は、
前記ご神体を載置する載置部、
前記載置部を支持する支持部であって、所定の長さを有し、一端に前記載置部が固定され、他の一端に前記収納部材が固定される支持部、
を有し、
前記収納部材は、
前記載置部材を垂直方向に支持する垂直固定部、
を有する携帯祭壇装置。
【請求項２】
請求項１に係る携帯祭壇装置において、
前記支持部は、
前記載置部が固定される凸形状の第１の端部、及び、前記収納部材が固定される凸形状の第２の端部、
を有し、
前記載置部は、
前記第１の端部と係合する凹形状の載置固定部、
を有し、
前記垂直固定部は、
前記第２の端部と係合する凹形状を有すること、
を特徴とする携帯祭壇装置。
【請求項３】
請求項２に係る携帯祭壇装置において、
前記垂直固定部は、
前記収納部材の側面に沿って位置すること、
を特徴とする携帯祭壇装置。
【請求項４】
請求項１〜請求項３に係るいずれかの携帯祭壇装置において、
前記支持部は、
複数の分割支持部によって構成されていること、
を特徴とする携帯祭壇装置。
【発明の詳細な説明】
【技術分野】
【０００１】
本発明は、祭事に使用する携帯祭壇装置に関し、特に、携帯して持ち運びするものに関する。
【背景技術】
【０００２】
従来の携帯祭壇装置について、図１７に示す折りたたみ型の携帯仏壇１を用いて説明する。折りたたみ型の携帯仏壇１では、額縁様の枠体２、２の二つをヒンジ連結３により開閉自在に形成した枠体２に透明板４を組み合わせ、その背部に収納部５付き蓋６を開閉自在に取り付けて成る前記枠体２の一方下端部に、ロウソクＣ立て用の保持ピン９付き支持板８を、他方の枠体２には線香Ｄ用の保持具１４付き支持板８を回動自在に取り付けて成る携帯仏壇１本体に、別途に形成した保持穴１５付き受け皿１６を組み合わせて成る。これにより、携帯仏壇１は、仏壇は折りたたみでき、かつ線香やローソクを供えられるとともに収納保持することもできる（特許文献１参照）。
【先行技術文献】
【特許文献】
【０００３】
【特許文献１】特開２００４−８９６４８号公報
【発明の開示】
【発明が解決しようとする課題】
【０００４】
しかしながら、前述の折りたたみ型の携帯仏壇１には、以下に示す改善すべき点がある。折りたたみ型の携帯仏壇１では、枠体２の中に故人の写真Ａや 戒名札Ｂ又は経文などを納めている。また、折りたたみ型の携帯仏壇１は、枠体２の底辺、及び、保持ピン９付き支持板８、線香Ｄ用の保持具１４付き支持板８によって、所定の面上に直立状に配置される。つまり、拝礼の対象である故人の写真Ａや 戒名札Ｂ又は経文などは、配置する面に近く位置する。このため、拝礼者の目線が、拝礼の対象よりも高い位置となり、拝礼者が心地よく拝礼できない場合がある、という改善すべき点がある。
【０００５】
また、無理に、拝礼対象を目線より高い位置に配置しようとしても、別の物を用意し、その物の上に配置するといった手間がかかる、という改善すべき点がある。さらに、旅行時等、普段とは異なる場所では、携帯仏壇１を配置するための別の物を見つけることができない場合もある、という改善すべき点がある。さらに、別の物体を見つけることができたとしても、目線より高い位置に拝礼対象を配置しようとすると、携帯仏壇１が不安定となる、という改善すべき点がある。
【０００６】
そこで、本発明は、拝礼時におけるご神体の配置位置を調整できる携帯祭壇装置を提供することを目的としている。
【発明の効果】
【０００７】
本発明における課題を解決するための手段及び発明の効果を以下に示す。
【０００８】
本発明に係る携帯祭壇装置は、ご神体を載置する載置部材、及び、前記載置部材を収納する収納部材を有する携帯祭壇装置であって、前記載置部材は、前記ご神体を載置する載置部、前記載置部を支持する支持部であって、所定の長さを有し、一端に前記載置部が固定され、他の一端に前記収納部材が固定される支持部、を有し、前記収納部材は、前記載置部材を垂直方向に支持する垂直固定部、を有する。
【０００９】
これにより、拝礼時において、ご神体を配置する高さ位置を調整できる。
【００１０】
本発明に係る携帯祭壇装置では、前記支持部は、前記載置部が固定される凸形状の第１の端部、及び、前記収納部材が固定される凸形状の第２の端部、を有し、前記載置部は、前記第１の端部と係合する凹形状の載置固定部、を有し、前記垂直固定部は、前記第２の端部と係合する凹形状を有すること、を特徴とする。
【００１１】
これにより、第１の端部と載置固定部とを係合させ、第２の端部と垂直固定部とを係合させるだけの簡単な操作で、ご神体を配置する高さ位置を調整できる。
【００１２】
本発明に係る携帯祭壇装置では、前記垂直固定部は、前記収納部材の側面に沿って位置すること、を特徴とする。
【００１３】
これにより、容易に、支持部を垂直に配置でき、ご神体を安定して配置できる。
【００１４】
本発明に係る携帯祭壇装置では、前記支持部は、複数の分割支持部によって構成されていること、を特徴とする。
【００１５】
これにより、コンパクトに収納することができる。また、ご神体を容易に配置する高さを調整できる。
【図面の簡単な説明】
【００１６】
【図１】本発明に係る携帯祭壇装置の一実施形態である携帯祭壇装置１００の正面から見た使用時の状態を示す図である。
【図２】携帯祭壇装置１００の背面から見た使用時の状態を示す図である。
【図３】携帯祭壇装置１００を分解した状態を示す図である。
【図４】携帯祭壇装置１００の収納時の状態を示す図である。
【図５】本発明に係る携帯祭壇装置のその他の実施形態を示す図である。
【図６】本発明に係る携帯祭壇装置のその他の実施形態の６面図である。
【図７】本発明に係る携帯祭壇装置のその他の実施形態の収納部材の６面図である。
【図８】本発明に係る携帯祭壇装置のその他の実施形態の第２の分割支持部の６面図である。
【図９】本発明に係る携帯祭壇装置のその他の実施形態の第１の分割支持部の６面図である。
【図１０】本発明に係る携帯祭壇装置のその他の実施形態のご神体載置部の６面図である。
【図１１】本発明に係る携帯祭壇装置のその他の実施形態の参考斜視図である。
【図１２】本発明に係る携帯祭壇装置のその他の実施形態の参考斜視図である。
【図１３】本発明に係る携帯祭壇装置のその他の実施形態の参考斜視図である。
【図１４】本発明に係る携帯祭壇装置のその他の実施形態の参考斜視図である。
【図１５】本発明に係る携帯祭壇装置のその他の実施形態の参考斜視図である。
【図１６】本発明に係る携帯祭壇装置のその他の実施形態の参考斜視図である。
【図１７】従来の携帯祭壇装置を示す図である。
【発明を実施するための形態】
【００１７】
以下、本発明の実施例について、図面を参照しながら詳細に説明していく。
【実施例１】
【００１８】
本発明に係る携帯祭壇装置の一実施例である携帯祭壇装置１００を、図１〜図４を用いて説明する。携帯祭壇装置１００は、使用者が、移動の際に携帯し、場所や時間の制限をうけることなく祭事、例えば礼拝を行うことができるものである。なお、携帯祭壇装置１００の使用時の正面から見た状態を図１に、携帯祭壇装置１００の使用時の背面から見た状態を図２に、それぞれ示す。また、携帯祭壇装置１００の分解状態を図３に、携帯祭壇装置１００の携帯時の状態を図４に、それぞれ示す。
【００１９】
図１に示すように、携帯祭壇装置１００は、載置部材１１０、及び、収納部材１３０を有している。載置部材１１０は、ご神体を載置するための部材である。収納部材１３０は、載置部材１１０を収納するための部材である。
【００２０】
載置部材１１０は、ご神体載置部１１１、支持部１１３を有している。ご神体載置部１１１は、平板形状を有している。ご神体載置部１１１の上面Ｐ１１１には、ご神体が載置される。また、図３に示すように、ご神体載置部１１１は、所定位置に、支持部１１３の一端と係合し、具体的には嵌合し、ご神体載置部１１１を固定する、孔状の載置固定部１１１ａを有している。
【００２１】
図１に戻って、支持部１１３は、収納部材１３０から所定高さの位置にご神体載置部１１１を支持する。図３に示すように、支持部１１３は、第１の分割支持部１１３ａ、第２の分割支持部１１３ｂを有している。第１の分割支持部１１３ａは、円柱形状を有している。よって、第１の分割支持部１１３ａの一端である第１の端部１１３ａ１は、凸形状を有している。図１に示すように、第１の端部１１３ａ１は、ご神体載置部１１１の載置固定部１１１ａと嵌合する。これにより、載置部材１１０と第１の分割支持部１１３ａとが固定される。なお、第１の分割支持部１１３ａの第１の端部１１３ａ１とは異なる端部である第１の連結端部１１３ａ３は、第２の分割支持部１１３ｂの連結固定部１１３ｂ７（後述）に固定される。
【００２２】
図３に示すように、第２の分割支持部１１３ｂは、平板形状を有している。第２の分割支持部１１３ｂの一端である第２の端部１１３ｂ１は、中央部に比して幅狭に形成されている。つまり、第２の端部１１３ｂ１は、凸形状を有している。図１に示すように、第２の端部１１３ｂ１は、収納部材１３０の垂直固定部１３０ａ（後述）と嵌合する。これにより、収納部材１３０と第２の分割支持部１１３ａとが固定される。
【００２３】
図２に示すように、第２の分割支持部１１３ｂの第２の端部１１３ｂ１とは異なる端部である第２の連結端部１１３ｂ３は、固定突出部１１３ｂ５を有している。固定突出部１１３ｂ５は、第２の分割支持部１１３ｂの裏側の面Ｐ１１３ｂから突出するように形成される。固定突出部１１３ｂ５は、所定位置に、第１の分割支持部１１３ａの第１の連結端部１１３ａ３と係合し、具体的には嵌合し、第１の分割支持部１１３ａを固定する孔状の連結固定部１１３ｂ７を有している。
【００２４】
収納部材１３０は、一面が開放された直方体形状を有している。図３に示すように、収納部材１３０は、載置部材１１０の第２の分割支持部１１３ｂの第２の端部１１３ｂ１を固定する凹形状の垂直固定部１３０ａを有している。垂直固定部１３０ａは、一の側面Ｐ１３０に沿って形成される。図１に示すように、垂直固定部１３０ａは、第２の分割支持部１１３ｂの第２の端部１１３ｂ１と係合し、具体的には嵌合する。これによって、第２の分割支持部１１３ｂ及び第１の分割支持部１１３ａ、つまり支持部１１３は垂直方向に支持され、ひいては、ご神体載置部１１１を、垂直上方の所定距離の位置に、支持する。
【００２５】
このように、携帯祭壇装置１００は、ご神体載置部１１１を収納部材１３０から所定距離、垂直上方に支持することができるので、背の低いテーブル等の置き場しかない状況であっても、所望の高さにご神体を配置した上で、拝礼等の祭事を行うことができる。
【００２６】
携帯時には、図１に示すように組み立てた携帯祭壇装置１００を、図３に示すように、ご神体載置部１１１、第１の分割支持部１１３ａ、第２の分割支持部１１３ｂ、及び、収納部材１３０に分解した上で、図４に示すように、ご神体載置部１１１（図示せず）、第１の分割支持部１１３ａ（図示せず）、第２の分割支持部１１３ｂを収納部材１３０の内部に収納する。なお、第２の分割支持部１１３ｂは、収納部材１３０の開放された一面を覆うように配置される。つまり、第２の分割支持部１１３ｂは、収納部材１３０に対する蓋として機能する。このように、携帯祭壇装置１００を組み立てるためのご神体載置部１１１、支持部１１３を収納部材１３０に収納することができるので、容易に、場所をとることなく、携帯祭壇装置１００を携帯し、持ち運ぶことができる。
【００２７】
なお、収納部材１３０を所定の大きさとすることによって、祭事に必要な他の神具、仏具を同梱することができる。これにより、携帯祭壇装置１００の利便性を高めることができる。
【００２８】
［他の実施形態］
（１）支持部１１３の構成：前述の実施例１においては、支持部１１３は、第１の分割支持部１１３ａ、及び、第２の分割支持部１１３ｂによって構成されるとしたが、ご神体載置部１１１を所定の高さに配置できるものであれば、例示のものに限定されない。例えば、第１の分割支持部１１３ａのみよって、支持部材を形成するようにしてもよい。また、３つ以上の支持部を用いて、各支持部を接続、固定することによって、支持部材を構成するようにしてもよい。さらに、伸縮する部材によって支持部材を形成するようにしてもよい。
【００２９】
（２）第２の分割支持部１１３ｂの形状：前述の実施例１においては、第２の分割支持部１１３ｂは、平面形状を有するとしたが、第１の分割支持部１１３ａと接続できるものであれば、例示のものに限定されない。例えば、第１の分割支持部１１３ａと同様に、円柱形状を有し、一端を第１の分割支持部１１３ａに、他の一端を収納部材１３０に、それぞれ接続し、固定できるようにしてもよい。
【００３０】
（３）第２の分割支持部１１３ｂと収納部材１３０との接続：前述の実施例１においては、第２の分割支持部１１３ｂの第２の端部１１３ｂ１と、収納部材１３０に形成する凹形状の垂直固定部１３０ａとを勘合させることによって、第２の分割支持部１１３ｂと収納部材１３０とを固定するとしたが、両者を固定できるものであれば、例示のものに限定されない。例えば、第２の分割支持部１１３ｂの第２の端部１１３ｂ１と収納部材１３０に形成する凹形状の垂直固定部１３０ａとを螺合させることによって、両者を固定するようにしてもよい。
【００３１】
（４）ご神体載置部１１１と第１の分割支持部１１３ａとの固定：前述の実施例１においては、ご神体載置部１１１に形成する孔状の載置固定部１１１ａと、第１の分割支持部１１３ａの第１の端部１１３ａ１とを勘合させることによって、ご神体載置部１１１と第１の分割支持部１１３ａとを固定するとしたが、両者を固定できるものであれば、例示のものに限定されない。例えば、ご神体載置部１１１の載置固定部１１１ａと第１の分割支持部１１３ａの第１の端部１１３ａ１とを螺合させることによって、両者を固定するようにしてもよい。
【００３２】
（５）第２の分割支持部１１３ｂの機能：前述の実施例１においては、第２の分割支持部１１３ｂは、収納部材１３０に対する蓋としての機能を有するとしたが、別途、蓋を用意し、第１の分割支持部１１３ａと接続し、ご神体載置部１１１を所定の高さに配置する機能のみを有するようにしてもよい。
【００３３】
また、図５に示す第２の分割支持部２１３ｂのように、中央を幅狭として形成し、取っ手として機能するようにしてもよい。
【００３４】
携帯祭壇装置の他の実施形態の一つについて、使用時、つまり、組み立て状態の６面図を図６に、携帯祭壇装置の収納部材の６面図を図７に、第２の分割支持部の６面図を図８に、第１の分割支持部の６面図を図９に、ご神体載置部の６面図を図１０に、使用時の参考斜視図を図１１に、使用時の参考斜視図を図１１に、使用時の参考分解斜視図を図１２に、使用時の参考分解斜視図を図１２に、収納時に収納部材の内部に第１の分割支持部、ご神体載置部を収納した状態の参考斜視図を図１３に、使用時において、リン、リン棒、線香、線香受けとともに使用した携帯祭壇装置の参考斜視図を図１４に、収納時に収納部材の内部に第１の分割支持部、ご神体載置部とともに、リン、リン棒、線香、線香受けを収納した状態の参考斜視図を図１５に、収納時に収納部材の内部に第１の分割支持部、ご神体載置部とともに、リン、リン棒、線香、線香受けを収納した状態に、第２の分割支持部を収納部材に取り付けた状態の参考斜視図を図１６に、をそれぞれ示す。
【符号の説明】
【００３５】
１００      携帯祭壇装置
１１０      載置部材
１１１      ご神体載置部
１１１ａ    載置固定部
１１３            支持部
１１３ａ        第１の分割支持部
１１３ａ１    第１の端部
１１３ａ３    第１の連結端部
１１３ｂ        第２の分割支持部
１１３ｂ１    第２の端部
１１３ｂ３    第２の連結端部
１１３ｂ５    固定突出部
１１３ｂ７    連結固定部
１３０            収納部材
１３０ａ        垂直固定部
２１３ｂ        分割支持部
【図１】
2020195567.tif 000003
【図２】
2020195567.tif 000004
【図３】
2020195567.tif 000005
【図４】
2020195567.tif 000006
【図５】
2020195567.tif 000007
【図６】
2020195567.tif 000008
【図７】
2020195567.tif 000009
【図８】
2020195567.tif 000010
【図９】
2020195567.tif 000011
【図１０】
2020195567.tif 000012
【図１１】
2020195567.tif 000013
【図１２】
2020195567.tif 000014
【図１３】
2020195567.tif 000015
【図１４】
2020195567.tif 000016
【図１５】
2020195567.tif 000017
【図１６】
2020195567.tif 000018
【図１７】
2020195567.tif 000019